(57)【特許請求の範囲】
【請求項１】
骨組みと骨組みの頂部に設置された傘面とを含み、前記骨組みが、シャフト（１）と、シャフト（１）頂部に設置されかつ前記傘面を支持するためのリブ（２）と、シャフト（１）底部に設置されたハンドル（３）とを含む、加湿機能を有する傘具であって、前記骨組みに加湿器（４）が設けられ、
前記加湿器（４）が、シャフト（１）に嵌まるように装着された加湿液収容体（７）を含み、
前記加湿液収容体（７）外壁には、霧化板（１６）を駆動するための制御回路および前記制御回路に電力を供給するための電源を収容し、それぞれ前記加湿液収容体外壁の両側に対称に配置され、前記傘具が閉じられると前記リブに押されて前記加湿液収容体（７）側に近づくように閉じ収まる、２つの収容ボックス（１５）が接合され、
前記２つの収容ボックス（１５）に掛け渡され、前記傘具が開かれたときに、互いに離れるように前記２つの収容ボックス（１５）を展開させる弾性部材を備える、
ことを特徴とする加湿機能を有する傘具。
【請求項２】
前記加湿器（４）が弾性係合具（６）により前記シャフト（１）に係合連結されていることを特徴とする請求項１に記載の加湿機能を有する傘具。
【請求項３】
前記加湿液収容体（７）内には加湿液を収容する収納チャンバー（８）が設けられ、前記加湿液収容体（７）外壁には前記収納チャンバー（８）に連通する加湿口が設けられ、加湿口内には前記霧化板（１６）が設けられており；
回路を介して前記制御回路と前記電源との間に接続された電源スイッチがさらに設けられていることを特徴とする請求項１に記載の加湿機能を有する傘具。
【請求項４】
前記加湿液収容体（７）外壁に、前記収納チャンバー（８）に連通する注入口（１０）と、注入口（１０）と締り嵌めされる密封栓（１１）とが設けられ、前記密封栓（１１）の中心には一方向空気ガイド孔（１２）が設けられていることを特徴とする請求項３に記載の加湿機能を有する傘具。
【請求項５】
前記電源スイッチが前記加湿液収容体（７）外壁に設置されていることを特徴とする請求項３または４に記載の加湿機能を有する傘具。
【請求項６】
前記電源スイッチがハンドル（３）に設置された赤外線リモートコントロールスイッチであることを特徴とする請求項３から５のいずれか１項に記載の加湿機能を有する傘具。
【請求項７】
前記加湿液収容体（７）が、前記リブ（２）と前記シャフト（１）との間に設置された下ロクロ（１４）を介して前記シャフト（１）に嵌めるように装着されていることを特徴とする請求項１から６のいずれか１項に記載の加湿機能を有する傘具。
【発明の詳細な説明】
【技術分野】
【０００１】
本発明は傘具に関し、具体的には加湿機能を有する傘具に関する。
【背景技術】
【０００２】
傘具は主に日よけおよび雨よけに用いるもので、人々の日常生活において広く利用されている。一般に雨傘と日傘とに分けられる。よく見られる傘は一般に骨組みと、骨組み頂部に設置された傘面とを含み、前記骨組みはシャフトと、シャフト頂部に設置され前記傘面を支持するリブと、シャフト底部に設置されたハンドルとを含む。リブとシャフト間は上ロクロおよび下ロクロによって互いに接合されており、必要に応じて上ロクロと下ロクロとの間に中ロクロがさらに増設されることもあり、これによれば傘面の多段階の折畳みが実現される。傘の構造の違いによって一般に折畳み傘および長傘に分けられ；傘の使用方法の違いによって一般に手開き式傘、半自動式傘および全自動式傘等に分けられ；傘の機能の違いによって一般に雨よけのための傘、日よけまたは紫外線防止のための傘、晴雨兼用傘等に分けられる。
【０００３】
現在、人々の異なる場面におけるニーズを満たすため、さまざまな傘が登場している。例えば、暗い場所での傘の使用に便利なように、公開番号をＣＮ１０２４２３１７５Ａ号とする特許文献は、照明具を備えた傘を開示しており、当該傘は、ハンドル、骨組みおよび骨組みに設置された傘面を含み、前記骨組みの末端頂点部に電球が設置され、前記ハンドル内にはバッテリー装置が設置されており、前記バッテリー装置と前記電球間には電気線材が接続されており、前記ハンドル上には前記電球を制御するためのスイッチがさらに設けてある。上記照明具を備えた傘の全体構造はシンプルであり、光で照らして明るくすることができる他、光でここに人がいるということを示すこともでき、照明することができる上に、安全性を高めることもできる。
【０００４】
天候が暑く乾燥する夏季に、皮膚が日光に直に晒されるのを防ぐため、人々は外出時、往々にして日焼け防止用の傘を携帯する。現在用いられている傘は、日光に対して一定の遮蔽作用を提供できるだけで、空気の湿度と温度に対しては制御を行うことができないため、人々は外出時、身体から水分が大量に流失して身体の不快感が増し、さらに酷くなると熱中症またはめまいを起こすこともある。
【０００５】
ある一定の場所では、空気の快適度を改善するため人々は１つ以上の加湿器を設置する。現在使用されている比較的よく見られる小型加湿器は、一般に超音波霧化加湿器であり、主にオフィス等の室内環境において用いられている。超音波霧化加湿器は主に、霧化板と、霧化板の動作を制御する制御回路と、制御回路に電力を供給するための電源と、回路を介して制御回路と電源との間に接続される電源スイッチと、開口が霧化板に連通している加湿液収容体と、を含む。必要に応じて収容体と霧化板との間に吸水体が設置されていてもよい。超音波霧化加湿器の肝要な構成要素は霧化板であり、霧化板は一般に圧電セラミック板と金属ケースとを含み、圧電セラミック板は金属ケース内に配置され、圧電セラミック板の下表面には金属電極が設けられており、金属電極と圧電セラミック板とは接続している。圧電セラミックスは、機械エネルギーと電気エネルギーとを相互に変換することのできる機能性セラミック材料である。圧電セラミックスに電圧が作用すると、電圧と周波数の変化に伴って機械的変形が生じる。この原理を利用して、２枚の圧電セラミックスまたは１枚の圧電セラミックスと１つの金属板とで構成される霧化板に電気信号を印加すると、湾曲、振動して超音波が発生し、これによりそれと接触する水分子が小さな液滴に破砕されて拡散し、室内の空気を加湿する。
【０００６】
さまざまな場面におけるニーズを満たすため、加湿器自体の構造を改造することによって異なる場面におけるニーズに応えるということが始められており、例えば、登録公開番号をＣＮ２０１５９９８８８Ｕ号とする特許文献は、ボトルキャップ加湿器であって、回路、霧化板、電源ポート、吸水体およびパッケージ体を含み、パッケージ体の下端面にボトルキャップが固定して連結されており、ボトルキャップは内側ねじ山を備え、ボトルキャップの直径は２８ミリメートルであり；パッケージ体内には回路および霧化板が設けられ、霧化板はパッケージ体の開口端下方に位置して回路と接続し、回路はパッケージ体上の電源ポートと接続しており；吸水体の一端はボトルキャップとパッケージ体とを貫くように取り付けられており、上端部が霧化板の下端部に当接し、他端はボトルキャップから外へ延伸し、当該吸水体は上下に貫通しかつ中空であるケースを備え、ケース内に吸水物質が充填されている、ボトルキャップ加湿器を開示している。当該加湿器は水タンクがなく携帯に便利であると同時に、水タンクとなる、標準的なボトル口を備える各種飲料用ボトルと組み合わせて使用することができる。しかしながら、傘に加湿器を設置することに関連した報告は、現時点でまだない。
【先行技術文献】
【特許文献】
【０００７】
【特許文献１】中国実用新案公告第２０１５９９８８８Ｕ号明細書
【特許文献２】中国特許出願公開第１０２４２３１７５Ａ号明細書
【特許文献３】中国実用新案公告第２０２８１９８９７Ｕ号明細書
【特許文献４】中国特許出願公開第１０２７９３３４５Ａ号明細書
【特許文献５】中国実用新案公告第２０１７０９５９６Ｕ号明細書
【特許文献６】中国実用新案第２７０５０４５Ｙ号明細書
【発明の概要】
【発明が解決しようとする課題】
【０００８】
本発明は加湿機能を有する傘具を提供する。当該傘具は全体の構造がシンプルであり、傘具の骨組みに加湿器を設置することにより傘下の空気の湿度の調整が便利となって、傘具の使用の過程における快適度が増し、実用性に優れている。
【課題を解決するための手段】
【０００９】
加湿機能を有する傘具は、骨組みと骨組み頂部に設置された傘面とを含み、前記骨組みが、シャフトと、シャフト頂部に設置されかつ前記傘面を支持するためのリブと、シャフト底部に設けられたハンドルとを含み、前記骨組みに加湿器が設けられている。
【００１０】
前記加湿器には、よく見られる超音波加湿器、気化式加湿器、電極式加湿器またはクールミスト加湿器等を選ぶことができ、実際の必要に応じて選択すればよい。加湿器は傘具の骨組みの任意の位置に固定することができ、実際の必要に応じて決定すればよい。加湿器と傘具の骨組み間は、各種方式によって固定することが可能であり、例えば、係合連結固定の方式、溶接固定の方式、または締結固定の方式等を選択することができる。
【００１１】
加湿器装着の高さを調整し易くし、同時に加工し易くするために、好ましい技術的手段は：前記加湿器を弾性係合具により前記シャフトに係合連結させるというものである。前記弾性係合具を加湿器のケース上に設置するよう選択することができ、弾性係合具上には一般に、シャフトと対応する係合溝が設けられる。実際の使用時には、実際の使用者の高さに応じて加湿器をシャフトの適した位置に係合連結させればよい。ケース上には一般に、電源スイッチおよび加湿口が設けられ、ケース内には加湿アセンブリ、制御回路ならびに電源および電源スイッチなどが設けられ、加湿アセンブリは実際の加湿器の加湿原理の違いによって変化し得るもので、例えば、超音波霧化加湿器では、その加湿アセンブリは一般に、霧化板および加湿液収容体等を含み、必要に応じて霧化板と加湿液収容体との間に吸水体等をさらに加えてもよい。
【００１２】
加湿器の占めるスペースを減らして、傘具の構造をよりコンパクトとするよう、別の好ましい技術的手段は：前記加湿器が、シャフト上に嵌めるように装着される加湿液収容体を含み、前記加湿液収容体内には収納チャンバーが設けられ、加湿液収容体外壁には前記収納チャンバーに連通する加湿口が設けられ、加湿口内には霧化板が設けられており；また、前記霧化板を駆動するための制御回路、前記制御回路に電力を供給するための電源、および回路を介して制御回路と電源との間に接続された電源スイッチがさらに設けられているというものである。加湿液収容体の設置の高さは実際の必要に応じて決めればよく、加湿液収容体とシャフト間は、多種の方式から選択して固定することができる。
【００１３】
制御回路および電源の装着位置は実際の必要に応じて決めることができ、回路の配置の便宜上、２種の好ましい技術的手段はそれぞれ次のとおりである：
【００１４】
そのうちの１つの好ましい技術的手段は：前記加湿液収容体外壁に外被覆板が固定され、外被覆板と加湿液収容体外壁との間には前記制御回路および電源を収容する収容空間が設けられるというものである。加湿液収容体は一般に環状構造であり、実際の制御回路および電源が占めるスペースの大きさによって、半被覆または全被覆方式を採用して外被覆板を加湿液収容体外壁と固定連結させることができる。電池を繰り返し装脱着することで前記制御回路が損壊してしまうのを回避すべく、制御回路および電源を収容する空間は一般に離間して設けられる。加湿液収容体と外被覆板とは溶接を用いて固定してよく、また一体の設置を採用して加工時にワンステップ成型してもよい。使用の過程で電源が脱落してしまうのを防ぐと同時に、外部の不純物または雨水により制御回路が損壊されるのを防ぐように、外被覆板と加湿液収容体とには一般に、前記収容空間を塞ぐ外カバー板が設けられる。収容空間の大きさおよび形状については、一般には実際の必要に応じて決定し、厳しい要求はない。
【００１５】
もう１種の好ましい技術的手段は：前記加湿液収容体外壁に前記制御回路および電源を収容する収容ボックスが接合されるというものである。収容ボックスは１つまたは２つ設置することができ、収容ボックスが大きすぎるためにリブと干渉してしまうのを回避すべく、さらに好ましい技術的手段は：前記収容ボックスが２つあり、それぞれ加湿液収容体外壁の両側に対称に設置され、それぞれ制御回路および電源を収容するのに用いるというものである。傘具の全体的な外観の美しさをより高めると同時に、スペースを節約するために、前記収容ボックスと加湿液収容体外壁との間に弾性移動制限機構を設置することを選択して、傘具を開くと２つの収容ボックスが互いに離れて展開し；傘具を閉じると２つの収容ボックスが互いに近づいて閉じ収まるようにすることができる。
【００１６】
加湿液収容体内の加湿液の交換または添加をし易くするには、上述した数種の好ましい手段をベースとした上で、より好ましいのは、前記加湿液収容体外壁上に前記収納チャンバーに連通する注入口と、注入口と締り嵌めされる密封栓とが設けられ、前記密封栓の中心に一方向空気ガイド孔が設けられる、というものである。密封塞には標準的なゴム栓を用いることができる。一方向空気ガイド孔は、外部の空気が一方向に収容チャンバー内へ入ることだけを可能とし、収容チャンバー内の水は通ることができない。一方向空気ガイド孔の設置によって、長期使用後に収容チャンバー内に真空が形成され加湿器の正常な動作が妨げられることが回避される。
【００１７】
実際の必要に応じて電源スイッチの位置を設置でき、例えば前記電源スイッチを加湿液収容体外壁上に設置することを採用できる。あるいは、前記電源スイッチとして、ハンドル上に設置される赤外線リモートコントロールスイッチを採用する。赤外線リモートコントロールスイッチを採用することで、加湿器の起動が便利となり、本発明の傘具の実用性がさらに高まる。前記電源には市販の一次電池または充電電池を採用でき、また太陽電池を採用して戸外の太陽エネルギーを十分に利用し、傘具の使用コストを低減させることもできる。
【００１８】
本発明の傘具の外観の美しさをさらに高めるために、前記加湿液収容体をリブとシャフトとの間に設置された下ロクロを介して前記シャフトに嵌めるように装着されることを採用してもよい。傘具の開閉の過程において、加湿器は下ロクロの移動に伴って移動し、加湿器とリブとの間の干渉が回避される。
【００１９】
本発明において言及する傘具は折畳み傘、長傘または大型のパラソル等であってよく、具体的な製作の際には、各種傘具の構造の違いによって適宜調整する必要がある。本発明の加湿液には普通の水または美容効果を有する保湿液等を用いることができ、各種のより高度なニーズを満たすことができる。
【発明の効果】
【００２０】
本発明の加湿機能を有する傘具は、全体の構造がシンプルで、外観が美しく、傘内への加湿器の設置によって傘具内の空気がより快適な湿度および温度に保たれて、高温環境によりもたらされる不快感が回避され、傘具の使用の過程における快適度が高まり、あらゆる人が使用するのに適している；同時に、加湿器を傘具の下ロクロに設置すれば、加湿器とリブまたはシャフトとの間の干渉が回避され、傘具の開閉および保管に便利となる。
【図面の簡単な説明】
【００２１】
【図１】本発明の加湿機能を有する傘具の１実施形態の構造説明図である。
【図２】本発明の加湿機能を有する傘具の別の実施形態の構造説明図である。
【図３】図１に示した加湿機能を有する傘具の加湿器の１実施形態の構造説明図である。
【図４】図３に示した加湿器のＡ−Ａ断面図である。
【図５】図３に示した加湿器のＣ−Ｃ断面図である。
【図６】図１に示した加湿機能を有する傘具の加湿器の別の実施形態の構造説明図である。
【図７】図６に示した加湿器のＢ−Ｂ断面図である。
【図８】本発明の加湿機能を有する傘具の加湿器の第４の実施形態の構造説明図である。
【図９】図８に示した加湿器の構造拡大図である。
【発明を実施するための形態】
【００２２】
実施例１
図２に示されるように、加湿機能を有する傘具は傘具本体を含み、傘具本体は骨組みと骨組み頂部に設置された傘面とを含み、骨組みはシャフト１と、シャフト１頂部に設けられかつ前記傘面を支持するためのリブ２と、シャフト１底部に設けられたハンドル３とを含み、リブ２は上ロクロ１３および下ロクロ１４によって接合し、シャフト１には加湿器４が設けられている。加湿器４は、ケース５、ならびにケース５内に設けられた霧化板、加湿液収容体、制御回路、電源および電源スイッチを含む。霧化板、制御回路、電源および電源スイッチはそれぞれ回路を介して接続し閉じた経路を成している。
【００２３】
ケース５には加湿口、電源スイッチおよび弾性係合具６が設けられ、弾性係合具６にはシャフト１と互いに対応する係合溝が設けられており、加湿器４は弾性係合具６によりシャフト１と互いに係合連結する。電源スイッチおよび加湿口はケース５のシャフト１と反対の側に設けられる。霧化板には、超音波振動を生じ、その上に付着した水滴を破砕して霧滴にし、空気中に放出するのに用いられる標準的な霧化板を採用できる。加湿液収容体は加湿液を収容するためのものであり、加湿液には精製水を選択することができ、必要に応じて香料またはその他の添加剤を添加してもよい。制御回路は霧化板の動作を駆動するのに用いられる。電源は制御回路に電力を供給するのに用いられる。電源スイッチは制御回路のオン・オフを制御するのに用いられる。電源スイッチは、回路を介して霧化板と制御回路との間に接続される。電源スイッチとして、ハンドル３内に設置される赤外線リモートコントロールスイッチも選択される。
【００２４】
本実施形態の加湿器４に既存の市販の加湿器製品を用いることもできる；装着に際し、加湿器の外壁に弾性係合具６を加工しさえすればよい。加湿器４の設置の高さは、個人のニーズに応じて決めることができる。本実施形態において、傘具本体には既存の折畳み傘または長傘等を用いることができ、使用時に、加工が完了した加湿器を直接シャフトに係合連結させればよい。
【００２５】
本実施形態の加湿機能を有する傘具の使用の過程において、加湿器の使用が必要なときは、直接、電源スイッチをオンにすればよい。
【００２６】
実施例２
図１、図３、図４および図５に示されるように、加湿機能を有する傘具は傘具本体を含み、傘具本体は骨組みと骨組み頂部に設置された傘面とを含み、骨組みは、シャフト１と、シャフト１頂部に設置されかつ前記傘面を支持するためのリブ２と、シャフト１底部に設けられたハンドル３とを含み、リブ２は上ロクロ１３および下ロクロ１４によって接合し、骨組みに加湿器４が設けられている。加湿器４は、加湿口１７を備えた加湿液収容体７、加湿液収容体７外壁に設けられた制御回路、電源および電源スイッチ、ならびに加湿口１７内の霧化板を含む。
【００２７】
加湿液収容体７は環状構造であって、外リング１８、内リング１９、および外リング１８、内リング１９の上端および底端を塞いで固定する環状の上板２０および底板２１を含み、外リング１８、内リング１９、上板２０および底板２１に取り囲まれて密封された環状の収納チャンバー８が形成され、収納チャンバー８は加湿液を収容するのに用いられる。外リング１８、内リング１９、上板２０および底板２１は、一体に設置することを選んでもよいし、溶接固定することを選んでもよい。内リング１９内壁と傘具の下ロクロ１４とは互いに固定され、両者は締り嵌めされるが、ここで、内リング１９内壁と傘具の下ロクロ１４間は、必要に応じ、係合連結により固定する、締結により固定する、または一体に設置する、こと等を選択してもよい。
【００２８】
外リング１８外壁には、収納チャンバー８に連通する注入口１０と、注入口と締り嵌めされる密封栓１１とが設けられ、密封栓１１の中心には一方向空気ガイド孔１２が設けられており、一方向空気ガイド孔１２の構造には既存の構造を選んでよく、例えば空気ガイド孔内に一方向弁が設けられた構造を選択して、収納チャンバー８内の気圧が周囲気圧よりも小さいときに一方向弁が開いて外部の空気が収納チャンバーに入り、内外圧が等しいときには一方向弁が閉じて内部の加湿液が外部に漏れるのを阻止するようにすることができる。外リング１８外壁には、密封栓１１を固定するための固定ラグ孔２２が設けられており、実際の使用時には、柔軟性のある織物を用いて密封栓１１と固定ラグ孔２２とを互いに固定することができる。
【００２９】
外リング１８外壁には同時に収納チャンバー８と連通する加湿口１７が設けられている。加湿口１７は、外リング外壁から延伸して形成された口部２５と、口部２５端部に締結されて固定された外カバー２６とからなり、口部２５外壁には外ねじ山が設けられ、外カバー２６内壁には内ねじ山が設けられており、外カバー２６は筒状構造で、外カバー２６端部は内側へ垂直に折り返されて口部２５の一端と当接している。霧化板１６は外パッキン２３および内パッキン２４により加湿口１７内に固定されており、外パッキン２３の両側面は霧化板１６および外カバー２６の折り返し部分にそれぞれ密接しており、内パッキン２４の両側面は霧化板１６および口部２５内壁にそれぞれ密接している。霧化板１６は回路を介して電源および制御回路と互いに接続している。
【００３０】
外リング１８外壁の上端部には、制御回路および電源を収容する収容ボックス１５および収容ボックス２６が接合されている。収容ボックス１５および収容ボックス２６は外リング１８の両側にそれぞれ対称を成すよう設置され、収容ボックス１５および収容ボックス２６には、電源および制御回路の動作過程で生じる熱を放出するのに用いる若干の放熱孔２８が設けてある。収容ボックス１５外壁と外リング１８外壁、および収容ボックス２６外壁と外リング１８外壁には、互いに対応している２対のフック２７がそれぞれ設けられており、各対のフック２７間には弾性部材が掛け渡してあり、弾性部材としてはバネまたはゴムバンド等を選択可能である。フック２７と弾性部材とが、収容ボックスと外リング１８との間の弾性移動制限機構を構成する。弾性移動制限機構として、同様の機能を有するその他の機構を選ぶこともできる。傘具を開くと２つの収容ボックスは互いに離れて展開し；傘具を閉じると２つの収容ボックスは互いに近づいて閉じ収まる。必要に応じ、加湿口１７外壁と外リング１８外壁との間に補強リブを設置してもよい。
【００３１】
必要に応じて、収容ボックス１５および収容ボックス２６を合わせて１つの箱体とし、同時に制御回路および電源を収容するようにしてもよい。電源スイッチ、電源、制御回路および霧化板は回路を介して閉じた回路を成す。電源スイッチは、外リング外壁に設置することを選択でき、またハンドル内に設置してもよく、この場合には赤外線リモートコントロールスイッチの採用が必要となる。必要に応じて、回路配置の要求を満たすために、外リング１８、収容ボックス１５および収容ボックス２６、ならびに加湿口１７の適した位置に配線孔を開設する。
【００３２】
本実施形態の加湿機能を有する傘具の使用の過程では、傘具を開くと、収容ボックス１５および収容ボックス２６は弾性部材の作用下で対向する方向へ外側に開き、加湿が必要なときには電源スイッチをオンにするだけでよく；傘具を閉じると、リブに押されて収容ボックス１５および収容ボックス２６は外リングに近づく方向に閉じ収まる。
【００３３】
実施例３
図１、図６および図７のように、本実施形態において、加湿液収容体７の構造は実施例２における構造と同じであり、相違するのは、外リング１８外壁に外被覆板９が固定されている点にあり、外被覆板９と加湿液収容体７外壁との間には制御回路および電源を収容する収容空間２９が設けてある。２つの収容空間は単独で設置してもよいし、一体に設置してもよい。外被覆板９は、半被覆形式を採用して外リング１８外壁に固定してもよいし、環状板を採用してもよい。外被覆板９の形状に厳格な要求はなく、制御回路および電源の収容の要求を満たすものを基準とする。外被覆板９は、下端を介して外リング１８外壁に溶接固定され、上端は外カバー板によって外リング１８外壁に固定され、外カバー板と外リング１８間は一般に、電源の装脱着に便利なように取り外し可能な接続を採用することができ、外被覆板９上に必要に応じて放熱孔を開設してもよい。
【００３４】
本実施形態における電源スイッチは外被覆板上に設置してもよいし、ハンドル内に設置してもよく、使用の過程は実施例２と同じである。
【００３５】
実施例２および実施例３において、使用する傘具が長傘である場合は電源をハンドル内に設置することもでき、このとき、電源スイッチもハンドル内に設置し、普通の電源スイッチを用いればよく；こうすれば電源を収容する空間または収容ボックスを省くことができる。
【００３６】
実施例４
図８に示されるように：本実施例では、傘具は大型のパラソルであって、ビーチ、道路脇、公園などの公共の場所に用いることができる、または別荘、ホテル等の高級な場所においても用いることができるもので、それは：シャフト１００、シャフト１００の底端を固定するパラソルスタンド１０１、シャフト１００頂面に固定されたリブ１０２、およびリブ１０２頂面に広げて敷くように設けられる傘面１０３を含み、シャフト１００に加湿器１０４が固定されている。シャフト１００、パラソルスタンド１０１、リブ１０２および傘面１０３の構造は従来技術であり、ここでさらに詳述することはしない。
【００３７】
図９に示されるように、加湿器１０４の構造は実施例２と基本的に同じであり、相違するのは：加湿口１０５が４つで、シャフトを中心として周部に均等に設置されている点であり、加湿口１０５の構造は実施例１における加湿口１７と同じである。加湿液収容体１０６の構造は、実施例２における加湿液収容体７と同じであり、相違するのは次の点である：（１）実施例２中の収容ボックス１５および収容ボックス２６を取り除き、その代わりとして加湿液収容体１０６上部に１つの収容ボックス１０７を固定し、当該収容ボックス１０７は制御回路または電源等を直接配置するためのものであり、太陽エネルギーを利用する場合には電池は傘面の部分に配置することができる。（２）収容ボックス１０７および加湿液収容体１０６の一側面に、加湿器をシャフト１００上に嵌めるのに便利なように互いに位置合わせされた切欠きが設けられ、収容ボックス１０７の切欠き部分には係合具１０８がさらに設けられており、加湿器が脱落して人が負傷するのを防止するようになっている。（３）加湿液収容体１０６側壁に、加湿液収容体１０６内の収納チャンバー１０９に連通する注入口１１０と、注入口１１０と締り嵌めされる密封栓１１１とが設けられ、密封栓１１１内には空気通路が設けられ、当該空気通路内には空気弁１１２、つまり空気の一方向の流れを実現する弁体が設けられており、収納チャンバー１０９内の圧力が大気圧よりも小さい場合に、適時、空気を取り込んで、加湿液のスムーズな噴出を確実にする。
【図１】
0006033434.tif 000002
【図２】
0006033434.tif 000003
【図３】
0006033434.tif 000004
【図４】
0006033434.tif 000005
【図５】
0006033434.tif 000006
【図６】
0006033434.tif 000007
【図７】
0006033434.tif 000008
【図８】
0006033434.tif 000009
【図９】
0006033434.tif 000010